(57)【要約】      （修正有）【課題】ルアー本体に取付けられるフックに対しワンタッチで迅速かつ容易に、しかも確実強固にブレードを接続することができ、ブレードの集魚効果とフックの魚ヒット効果の双方を発揮することのできるルアーのブレード取付け用アタッチメントを提供する。【解決手段】基板１の後端部には一方部分に集魚用ブレード連結部を有する回転体３の他方部分を回転自在に支持してなる支持板を立設するとともに、基板の前方部分両側には狭持板を立設し、この２枚の狭持板と基板とにより構成される狭持部に、一方部を連結部材を介してルアー本体９に取付けられ他方部にトリプルフック、ダブルフック等のフック部８、９を形成してなるフックの軸体８、９を取付け取外し自在に狭持固定する。【選択図】図５
0003145587.tif 000002
【実用新案登録請求の範囲】
【請求項１】
基板の後端部には一方部分に集魚用ブレード連結部を有する回転体の他方部分を回転自在に支持してなる支持板を立設するとともに、基板の前方部分両側には狭持板を立設し、この２枚の狭持板と基板とにより構成される狭持部に、一方部を連結部材を介してルアー本体に取付けられ他方部にトリプルフック、ダブルフック等のフック部を形成してなるフックの軸体を取付け取外し自在に狭持固定することを特徴とするルアーのブレード取付け用アタッチメント。
【請求項２】
回転体の集魚用ブレード連結部には、あらかじめ集魚用ブレードが取付けられていることを特徴とする請求項１記載のルアーのブレード取付け用アタッチメント。
【請求項３】
狭持部はフックの軸体径より小径に形成したことを特徴とする請求項１または２記載のルアーのブレード取付け用アタッチメント。
【請求項４】
狭持部はフックの軸体形状に合わせた形状としたことを特徴とする請求項１乃至３のいずれかに記載のルアーのブレード取付け用アタッチメント。
【請求項５】
狭持部とフックの軸体形状は断面略三角形状としたことを特徴とする請求項１乃至４のいずれかに記載のルアーのブレード取付け用アタッチメント。
【請求項６】
狭持部上方の軸体挿入用開口端部には軸体の取付け取外しを容易にするための折り返し状反り返り部を形成したことを特徴とする請求項１乃至５のいずれかに記載のルアーのブレード取付け用アタッチメント。
【請求項７】
狭持板と支持板間にはフック部が露呈するための切欠部を形成したことを特徴とする請求項１乃至６のいずれかに記載のルアーのブレード取付け用アタッチメント。
【請求項８】
狭持部は軸体挿入用開口部に向かい徐々に幅径を狭くし、フックの軸体を狭持するたのの弾性を有することを特徴とする請求項１乃至７のいずれかに記載のルアーのブレード取付け用アタッチメント。
【考案の詳細な説明】
【技術分野】
【０００１】
本考案は、集魚効果のあるブレードと魚を掛けるためのフックを備えたルアーの改良に関するものである。 
【背景技術】
【０００２】
釣りの擬似餌として種々ルアーが存在する。通常この種のルアーにあっては、ルアー本体の後方部に連絡リングを介して集魚効果のあるブレードを連結するとともに、ルアー本体の腹部にトリプルフック、ダブルフック等への魚掛け用フックが取り付けられている。ブレードの集魚効果により、ルアー本体に食い付かんとする魚をフックに掛けてヒットせんとするものであり、ブレードは回転により光反射や音をお発生させ魚に興味をいだかせるために種々工夫がこらされている。
【０００３】
【特許文献１】特開２００７−２２８９５１号公報
【特許文献２】特開２００８−５４５２３号公報
【考案の開示】
【考案が解決しようとする課題】
【０００４】
前述したようにルアー本体に回転自在に取付けられてたブレードの集魚効果により魚はブレードに興味をいだきルアー本体に近寄り食い付かんとするものであるが、ブレード自体はトリプルフック、ダブルフック等の魚掛け用フックが取り付けられていないことから、結局のところブレード自体に食い付かんとする魚はヒットすることができない。
【０００５】
すなわち従来のルアーにあってはブレードは集魚効果のみを発揮するものであり、魚のヒット機能は備えておらず、ブレードとは別に取り付けられたトリプルフック、ダブルフック等のフックにまかせられていた 。
【０００６】
ブレード自体に魚が集まってくることは明らかであることから、ブレードにもフック機能を持たせることができれば、より効率の良い釣果をあげることが期待できる。
【０００７】
しかしながら、ブレードにフックを取り付け形成し、何等支障なく所要のブレード効果及びフック機能を発揮する一体的なフック付きブレードを製作することは極めて手間がかかり困難である。
【０００８】
本考案にあっては、ルアー本体に取り付けられるフックに対しワンタッチで迅速かつ容易に、しかも確実強固にブレードを接続することができ、ブレードの集魚効果とフックの魚ヒット効果の双方を充分に発揮することのできるルアーのブレード取り付け用アタッチメントを提供することを目的とする。
【課題を解決するための手段】
【０００９】
以上の課題を解決するために、本考案のルアーのブレード取付け用アタッチメントは、基板の後端部には一方部分に集魚用ブレード連結部を有する回転体の他方部分を回転自在に支持してなる支持板を立設するとともに、基板の前方部分両側には狭持板を立設し、この２枚の狭持板と基板とにより構成される狭持部に、一方部を連結部材を介してルアー本体に取り付けられ他方部にトリプルフック、ダブルフック等のフック部を形成してなるフックの軸体を取付け取外し自在に狭持固定することを特徴とするものである。
【００１０】
また、回転体の集魚用ブレード連結部には、あらかじめ集魚用ブレードが取付けられていることを特徴とするものである。
【００１１】
また、狭持部はフックの軸体径より小径に形成したことを特徴とするものである。
【００１２】
また、狭持部はフックの軸体形状に合わせた形状としたことを特徴とするものである。
【００１３】
また、狭持部とフックの軸体形状は断面略三角形状としたことを特徴とするものである。
【００１４】
また、狭持部上方の軸体挿入用開口端部には軸体の取付け取外しを容易にするための折り返し状反り返り部を形成したことを特徴とするものである。
【００１５】
また、狭持板と支持板間にはフック部が露呈するための切欠部を形成したことを特徴とするものである。
【００１６】
また、狭持部は軸体挿入用開口部に向かい徐々に幅径を狭くし軸体を狭持するための弾性を有することを特徴とするものである。
【考案の効果】
【００１７】
本考案のブレード取付け用アタッチメントによれば、基板の後端部には一方部分に集魚用ブレード連結部を有する回転体の他方部分を回転自在に支持してなる支持板を設立するとともに、基板の前方部分両側には狭持板を立設し、この２枚の狭持板と基板とにより構成される狭持板と基板とにより構成される狭持部に、一方部を連結部材を介してルアー本体に取付けられ他方部にトリプルフック、ダブルフック等のフック部を形成してなるフックの軸体を取付け取外し自在に狭持固定することから、ルアー本体に対しフックを備えたブレードを迅速かつ容易に取付け形成することができ、しかもブレードとフック自体の機能も充分に発揮することができることから、ブレードの集魚効果によりブレードに食い付かんとする魚を極めて効率良くヒット捕獲することができる。
【００１８】
回転体の集魚用ブレード連結部には、あらかじめ集魚用ブレードが取り付けられていることから、ルアーに取り付けられている所望個所のフックに迅速かつ容易にブレードを取り付けることができる。
【００１９】
狭持部はフックの軸体径より小径に形成したことから、狭持部にフックの軸体を力を込めて押し込むことにより抜け出しは完全に防止され確実強固に保持される。
【００２０】
狭持部はフック軸体形状に合わせた形状としたことから、アタッチメントとフックはフィットした状態で抜け出しは完全に防止され確実強固に保持される。
【００２１】
狭持部とフックの軸体形状は三角形状としたことからアタッチメントとフックは互いにより一層確実強固に保持される。
【００２２】
狭持部上方の軸体挿入用開口端部には軸体の取付け取外しを容易にするための折り返し状反り返り部を形成したことからブレード付きアタッチメントに対するフックの取付け取外しが迅速かつ容易に行うことができる。。
【００２３】
狭持板と支持板間にはフック部が露呈するための切欠部を形成したことからフックはアタッチメントの存在に指称を受けることなく所要のフック機能を充分に発揮することができる。
【００２４】
狭持部は軸体挿入用開口部に向かい徐々に幅径を狭くし、フックの軸体を狭持するための弾性を有することから強力な狭持効果が発揮されフックとブレード付きのアタッチメントは抜け出しを防止され、確実な保持状態を維持することができる。
【考案を実施するための最良の形態】
【００２５】
図１、図２において１は本考案のルアーのブレード取付け用アタッチメントであり、弾性を有する金属板より形成され、このアタッチメントは平板状の基板２の後端部には一方部分に集魚用連結用孔部３ａを有する回転体３を中央部分に形成された通孔４ａより挿通し回転自在に支持する支持板４を立設している。尚、回転体３は支持板４よりの抜け出しを完全に防止すべく支持板４への突入部３ｂは通孔４ａより大径に形成されている。
【００２６】
５は基板２の前方部分両側に立設された相対向する２枚の狭持板であり上方開口部に形成された軸体挿入部５ａに向かい幅狭となってゆき断面略三角形状とするとともに、狭持板５の開口端部には挿入されるフックの軸体の取付け取外しを容易にするための折り返し状反り返り部５ｂが延設形成されている。
【００２７】
図３、図４、図５に示すようにブレード６はブレード６の基部に形成した孔部６ａと支持板４に回転自在に支持された回転体３に形成された集魚用ブレード連結孔３ａ間に掛けられたリング７を介して接続される。
【００２８】
８はトリプルフックであり、軸体８ａの一方部分にはルアー本体９に取付けたフック係止部１０にリング１１を介して接続するためのリング係合用孔部８ｂを形成するとともに、他方部分には魚を掛けるためのフック部材８ｃが形成されている。
【００２９】
本考案にあっては図４，図５に示すようにトリプルフック８の軸体８ａを狭持板５間に金属板からなる狭持板の弾性を利用して押し込み、狭持固定するものである。
【００３０】
トリプルフック８の軸体８ａと基板２と２枚の狭持板５で形成される狭持部は三角形状とするとともに、狭持部は軸体８ａの径よりも小径の形成されていることから、狭持板５上方の軸体挿入部５ａの折り返し状反り返り５ｂを利用して挿入され、軸体挿入部を押し広げつつ挿入されたトリプルフック８の軸体８ａは確実に狭持部内に保持固定される。
【００３１】
したがって、あらかじめブレード６を取付けてなるブレード取付け用アタッチメントの狭持部５内にトリプルフック８の軸体８ａを挿し込めば、迅速かつ容易にトリプルフック８を備えたブレード６付きのルアー９作成することができる。
【００３２】
この際、基板２に立設形成された狭持板５と支持板４との間は切欠きし切欠部１ａが形成されているためトリプルフックのフック部材８ｃは完全な状態に露呈し、ブレード付アタッチメント１の存在に何等の影響を受けることなく所要の魚ヒット効果を発揮することができる。
【００３３】
本考案の実施例にあってはフックはトリプルフックを例にとり説明したが、勿論ダブルフック等、如何なる形態のフックであってもよい。
【００３４】
また、本実施例にあってはルアー本体の腹部に取付けられフックにブレードを取付けたアタッチメントを嵌着接合したが、この位置に限らずルアー後方尾部のフックに取付けることも勿論可能であるし、ルアー本体に取り付けられたフックの所望個所に自在に取付け形成することができる。
【図面の簡単な説明】
【００３５】
【図１】本願考案のルアーのブレード取付け用アタッチメントの正面図。
【図２】本願考案のルアーのブレード取付け用アタッチメントの平面図。
【図３】本願考案のルアーのブレード取付け用アタッチメントの使用状態を示す斜視図。
【図４】本願考案のルアーのブレード取付け用アタッチメントのフック取付け状態をす斜視図。
【図５】本願考案のルアーのブレード取付け用アタッチメントを取付けたルアーを示す斜視図。
【符号の説明】
【００３６】
１    ルアーのブレード取付け用アタッチメント
１ａ  切欠部
２    基板
３    回転体
３ａ  連結用孔部
３ｂ  突入部
４    支持板
４ａ  通孔
５    狭持板
５ａ  軸体挿入部
５ｂ  折り返し状反り返り部
６    ブレード
７    リング
８    トリプルフック
８ａ  軸体
８ｂ  リング係合用孔部
８ｃ  フック部材
９    ルアー
１０    フック係止部
１１    リング
【図１】
0003145587.tif 000003
【図２】
0003145587.tif 000004
【図３】
0003145587.tif 000005
【図４】
0003145587.tif 000006
【図５】
0003145587.tif 000007